(57)【要約】【課題】  選択キーの操作に応答してひらがな５０音文字入力、カタカナ５０音文字入力、英文字入力の何れの入力モードであるのか区別し易い情報処理装置を提供する。【解決手段】  オペレータから操作されるタッチセンサ及びビットマップディスプレイを有する操作盤１と、テンキーボタン４ａ〜４ｊをビットマップ表示させるテンキー表示手段と、ひらがな選択ボタン７を表示させる第１のボタン表示手段と、アルファベット選択ボタン９を表示させる第２のボタン表示手段と、数字選択ボタン１０を表示させる第３のボタン表示手段と、を備える。【選択図】        図１
2006129268.tif 000002
【特許請求の範囲】
【請求項１】
オペレータから操作されるタッチセンサ及びビットマップディスプレイを有する操作盤と、
前記操作盤に表示され、仮名５０音文字に対応させて、［あ］行から［わ］行の１０行の先頭文字をそれぞれ表示する１０個の行表示領域、［０］から［９］の数字をそれぞれ表示する１０個の数字表示領域、［Ａ］から［Ｚ］の２６個のアルファベットをそれぞれ表示するアルファベット表示領域を有するテンキーボタンをビットマップ表示させるテンキー表示手段と、
前記行表示領域を活性化させ前記仮名５０音文字の入力モードに移行させると共に、前記数字表示領域及びアルファベット表示領域を不活性化させるひらがな選択ボタンを表示させる第１のボタン表示手段と、
前記アルファベット表示領域を活性化させ、前記テンキーボタンの打鍵回数に対応する１つの英文字の入力モードに移行させると共に、前記数字表示領域及び行表示領域を不活性化させるアルファベット選択ボタンを表示させる第２のボタン表示手段と、
前記数字表示領域を活性化させ前記数字の入力モードに移行させると共に、前記行表示領域及びアルファベット表示領域を不活性化させる数字選択ボタンを表示させる第３のボタン表示手段と、
を備えることを特徴とする情報処理装置。
【請求項２】
前記行表示領域を活性化させ前記先頭文字をそれぞれカタカナ表示させ、カタカナ５０音文字の入力モードに移行させると共に、前記数字表示領域及びアルファベット表示領域を不活性化させるカナ選択ボタンを表示させる第４のボタン表示手段をさらに備えることを特徴とする請求項１に記載の情報処理装置。
【請求項３】
前記操作盤は、前記テンキーボタンを含む入力文字キーボードをポップアップ表示させるキーボードアイコンを表示させる第５のボタン表示手段をさらに備えることを特徴とする請求項１に記載の情報処理装置。
【請求項４】
前記入力文字キーボードを前記操作盤から非表示状態に移行させる閉じるアイコンを表示させる閉アイコン表示手段をさらに備えることを特徴とする請求項３に記載の情報処理装置。
【請求項５】
オペレータから操作されるタッチセンサ及びビットマップディスプレイを有する操作盤と、
仮名５０音文字に対応させて、［あ］行から［わ］行の１０行の先頭文字をそれぞれ表示する１０個の行表示領域、［０］から［９］の数字をそれぞれ表示する１０個の数字表示領域、［Ａ］から［Ｚ］の２６個のアルファベットをそれぞれ表示するアルファベット表示領域を有するテンキーボタンをビットマップ表示させるテンキーボタン表示手段と、
打鍵回数に応答して前記テンキーボタンのそれぞれに前記行表示領域、アルファベット表示領域、数字表示領域の何れか１つを活性化させ、情報入力待ち状態の前記仮名５０音文字、英文字、数字の何れか１つの入力モードを表示させるトグル選択ボタンを表示させるトグル選択ボタン表示手段と、
を備えることを特徴とする情報処理装置。
【請求項６】
オペレータに対して情報入力を促すタッチセンサ方式の入力文字キーボードを表示させる入力キーボード表示手段と、
ひらがな５０音文字に対応させて、［あ］行から［わ］行の１０行の先頭文字を１０個のテンキーボタンへそれぞれ拡大ひらがな表示させ、前記ひらがな５０音文字の入力モードに移行させるひらがな選択ボタンを表示させる第１のボタン表示手段と、
［Ａ］から［Ｚ］の２６個のアルファベットを前記テンキーボタンへそれぞれ拡大アルファベット表示させ、前記テンキーボタンへの打鍵回数に対応する１つの英文字を入力させるアルファベット選択ボタンを表示させる第２のボタン表示手段と、
［０］から［９］の数字を１０個の前記テンキーボタンへそれぞれ拡大数字表示させ、前記数字の入力モードに移行させる数字選択ボタンを表示させる第３のボタン表示手段と、
を備えることを特徴とする情報処理装置。
【請求項７】
カタカナ５０音文字に対応させて、［ア］行から［ワ］行の１０行の先頭文字を１０個の前記テンキーボタンへそれぞれ拡大カタカナ表示させ、前記カタカナ５０音文字の入力モードに移行させるカナ選択ボタンを表示させる第４のボタン表示手段をさらに備える請求項６に記載の情報処理装置。
【請求項８】
前記テンキーボタンから入力される情報入力を逐次表示する文字入力枠をさらに備えることを特徴とする請求項１乃至請求項７の何れか１項に記載の情報処理装置。
【請求項９】
ひらがな選択ボタンの操作に応答し、ひらがな５０音文字に対応させて、［あ］行から［わ］行の１０行の先頭文字を１０個のテンキーボタンへそれぞれ表示し、前記ひらがな５０音文字の入力モードに移行させる第１のボタン表示手段と、
アルファベット選択ボタンの操作に応答し、［Ａ］から［Ｚ］の２６個のアルファベットを前記テンキーボタンへそれぞれアルファベット表示させ、前記テンキーボタンへの打鍵回数に対応する１つの英文字の入力モードに移行させる第２のボタン表示手段と、
数字選択ボタンの操作に応答し、［０］から［９］の数字を１０個の前記テンキーボタンへそれぞれ数字表示させ、前記数字の入力モードに移行させる第３のボタン表示手段と、
カナ選択ボタンの操作に応答し、カタカナ５０音文字に対応させて、［ア］行から［ワ］行の１０行の先頭文字を１０個の前記テンキーボタンへそれぞれカタカナ表示させ、前記カタカナ５０音文字の入力モードに移行させる第４のボタン表示手段と、
を備えることを特徴とする商品販売データ処理装置。
【請求項１０】
オペレータに対して情報入力を促すタッチセンサ方式の文字入力方法であって、
ひらがな選択ボタンの操作に応答し、ひらがな５０音文字に対応させて、［あ］行から［わ］行の１０行の先頭文字を１０個のテンキーボタンへそれぞれ表示し、前記ひらがな５０音文字を入力させるステップと、
カナ選択ボタンの操作に応答し、カタカナ５０音文字に対応させて、［ア］行から［ワ］行の１０行の先頭文字を１０個の前記テンキーボタンへそれぞれカタカナ表示させ、前記カタカナ５０音文字を入力させるステップと、
アルファベット選択ボタンの操作に応答し、［Ａ］から［Ｚ］の２６個のアルファベットを前記テンキーボタンへそれぞれアルファベット表示させ、前記テンキーボタンへの打鍵回数に対応する１つの英文字を入力させるステップと、
数字選択ボタンの操作に応答し、［０］から［９］の数字を１０個の前記テンキーボタンへそれぞれ数字表示させ、前記数字を入力させるステップと、
を含むことを特徴とする文字入力方法。
【請求項１１】
前記請求項１０に記載の文字入力方法を情報処理装置上で実行するコンピュータ・ソフトウエア・プログラム。
【請求項１２】
前記請求項１０に記載の文字入力方法を情報処理装置上で実行するコンピュータ・ソフトウエア・プログラムを記憶する記憶媒体。
【発明の詳細な説明】
【技術分野】
【０００１】
本発明は、情報入力をするためのキーボードやテンキーのようなハードウエアを有さない情報処理装置又は商品販売データ処理装置、そのような処理装置上で実施する文字入力法、文字入力・コンピュータ・ソフトウエア・プログラム、文字入力・コンピュータ・ソフトウエア・プログラムを記憶する記憶媒体に関する。
【背景技術】
【０００２】
従来は、キーボードを持たない電子キャッシュレジスタは、商品情報を登録するために入力用キーボードを外部から接続し内部データを設定するか、通信回線を通してストアコンピュータから更新データをダウンロードしていたので、複数の電子キャッシュレジスタのメンテナンスが面倒であり、電子キャッシュレジスタの稼動時間を減少させていた。
【０００３】
また、データキーの一部のキーに複数のアルファベットを同一キーに重複して割り当て、データキーの他の一部のキーと制御キーの一部のキーには、一部のキーに割り当てられた複数のアルファベットのうちの特定のアルファベット（Ａ、Ｓ、Ｕ、Ｅ、Ｉ、Ｏ）の一つのみがその一部のキーと重複して割り当てられているキーボード付き電子機器が存在していた。
【０００４】
ユーザは、データを特定のアルファベットのみが割り当てられているキーから入力することにより、アルファベット列の一部のアルファベットが確定するので単語候補が絞られた効率的な単語入力をしていた（特許文献１参照。）。
【０００５】
【特許文献１】特開２００２−２０７５５８号公報（第１１段落、図１参照）
【発明の開示】
【発明が解決しようとする課題】
【０００６】
しかしながら、従来の文字入力方式では、アルファベット及び数字がテンキーボタンに固定印刷されているだけで、ひらがな５０音文字入力、カタカナ５０音文字入力、英文字入力の何れの入力モードであるのかユーザは区別することが困難であるという課題が存在していた。
【０００７】
本発明は、上述した課題に鑑み、選択キーの操作に応答してひらがな５０音文字入力、カタカナ５０音文字入力、英文字入力の何れの入力モードであるのか区別し易い情報処理装置、商品情報処理装置、文字入力方法、文字入力・コンピュータ・ソフトウエア・プログラム、文字入力・コンピュータ・ソフトウエア・プログラム記憶媒体を提供することを目的とする。
【課題を解決するための手段】
【０００８】
本発明の一態様は、例えば、オペレータから操作されるタッチセンサ及びビットマップディスプレイを有する操作盤と、操作盤に表示され、仮名５０音文字に対応させて、［あ］行から［わ］行の１０行の先頭文字をそれぞれ表示する１０個の行表示領域、［０］から［９］の数字をそれぞれ表示する１０個の数字表示領域、［Ａ］から［Ｚ］の２６個のアルファベットをそれぞれ表示するアルファベット表示領域を有するテンキーボタンをビットマップ表示させるテンキー表示手段と、行表示領域を活性化させ仮名５０音文字の入力モードに移行させると共に、数字表示領域及びアルファベット表示領域を不活性化させるひらがな選択ボタンを表示させる第１のボタン表示手段と、アルファベット表示領域を活性化させ、テンキーボタンの打鍵回数に対応する１つの英文字の入力モードに移行させると共に、数字表示領域及び行表示領域を不活性化させるアルファベット選択ボタンを表示させる第２のボタン表示手段と、数字表示領域を活性化させ数字の入力モードに移行させると共に、行表示領域及びアルファベット表示領域を不活性化させる数字選択ボタンを表示させる第３のボタン表示手段と、を備える情報処理装置であることを要旨とする。
【０００９】
本発明の一態様は、例えば、オペレータから操作されるタッチセンサ及びビットマップディスプレイを有する操作盤と、仮名５０音文字に対応させて、［あ］行から［わ］行の１０行の先頭文字をそれぞれ表示する１０個の行表示領域、［０］から［９］の数字をそれぞれ表示する１０個の数字表示領域、［Ａ］から［Ｚ］の２６個のアルファベットをそれぞれ表示するアルファベット表示領域を有するテンキーボタンをビットマップ表示させるテンキーボタン表示手段と、打鍵回数に応答してテンキーボタンのそれぞれに行表示領域、アルファベット表示領域、数字表示領域の何れか１つを活性化させ、情報入力待ち状態の仮名５０音文字、英文字、数字の何れか１つの入力モードを表示させるトグル選択ボタンを表示させるトグル選択ボタン表示手段と、を備える情報処理装置であることを要旨とする。
【００１０】
本発明の一態様は、例えば、オペレータに対して情報入力を促すタッチセンサ方式の入力文字キーボードを表示させる入力キーボード表示手段と、ひらがな５０音文字に対応させて、［あ］行から［わ］行の１０行の先頭文字を１０個のテンキーボタンへそれぞれ拡大ひらがな表示させ、ひらがな５０音文字の入力モードに移行させるひらがな選択ボタンを表示させる第１のボタン表示手段と、［Ａ］から［Ｚ］の２６個のアルファベットをテンキーボタンへそれぞれ拡大アルファベット表示させ、テンキーボタンへの打鍵回数に対応する１つの英文字を入力させるアルファベット選択ボタンを表示させる第２のボタン表示手段と、［０］から［９］の数字を１０個のテンキーボタンへそれぞれ拡大数字表示させ、数字の入力モードに移行させる数字選択ボタンを表示させる第３のボタン表示手段と、を備える情報処理装置であることを要旨とする。
【００１１】
本発明の一態様は、例えば、ひらがな選択ボタンの操作に応答し、ひらがな５０音文字に対応させて、［あ］行から［わ］行の１０行の先頭文字を１０個のテンキーボタンへそれぞれ表示し、ひらがな５０音文字の入力モードに移行させる第１のボタン表示手段と、アルファベット選択ボタンの操作に応答し、［Ａ］から［Ｚ］の２６個のアルファベットをテンキーボタンへそれぞれアルファベット表示させ、テンキーボタンへの打鍵回数に対応する１つの英文字の入力モードに移行させる第２のボタン表示手段と、数字選択ボタンの操作に応答し、［０］から［９］の数字を１０個のテンキーボタンへそれぞれ数字表示させ、数字の入力モードに移行させる第３のボタン表示手段と、カナ選択ボタンの操作に応答し、カタカナ５０音文字に対応させて、［ア］行から［ワ］行の１０行の先頭文字を１０個のテンキーボタンへそれぞれカタカナ表示させ、カタカナ５０音文字の入力モードに移行させる第４のボタン表示手段と、を備える商品販売データ処理装置であることを要旨とする。
【００１２】
本発明の一態様は、例えば、オペレータに対して情報入力を促すタッチセンサ方式の文字入力方法であって、ひらがな選択ボタンの操作に応答し、ひらがな５０音文字に対応させて、［あ］行から［わ］行の１０行の先頭文字を１０個のテンキーボタンへそれぞれ表示し、ひらがな５０音文字を入力させるステップと、カナ選択ボタンの操作に応答し、カタカナ５０音文字に対応させて、［ア］行から［ワ］行の１０行の先頭文字を１０個のテンキーボタンへそれぞれカタカナ表示させ、カタカナ５０音文字を入力させるステップと、アルファベット選択ボタンの操作に応答し、［Ａ］から［Ｚ］の２６個のアルファベットをテンキーボタンへそれぞれアルファベット表示させ、テンキーボタンへの打鍵回数に対応する１つの英文字を入力させるステップと、数字選択ボタンの操作に応答し、［０］から［９］の数字を１０個のテンキーボタンへそれぞれ数字表示させ、数字を入力させるステップと、を含む文字入力方法であることを要旨とする。
【発明の効果】
【００１３】
以上のように、本発明によれば、テンキーボタンに表示された行表示領域、数字表示領域、及びアルファベット表示領域がモード切替操作により変化するので、情報の入力モードが区別し易い情報処理装置、商品販売データ処理装置、文字入力方法、文字入力・コンピュータ・ソフトウエア・プログラム、及び文字入力・コンピュータ・ソフトウエア・プログラム記憶媒体を提供することができる。
【発明を実施するための最良の形態】
【００１４】
（第１の実施形態）
以下、本発明の第１の実施形態について図示例と共に説明する。図１から図１６は第１の実施の形態であって、各図中に同一または類似の符号を付した部分は同一物または相当物を表わし、重複した説明は省略する。
【００１５】
図１は、第１の実施の形態にかかる情報処理装置に用いる操作盤の正面図である。情報処理装置は、オペレータから操作されるタッチセンサ及びビットマップディスプレイを有する操作盤１と、操作盤１に表示され、仮名５０音文字に対応させて、［あ］行から［わ］行の１０行の先頭文字をそれぞれ表示する１０個の行表示領域として図中左上から右下方向に「あ」、「か」、「さ」、「た」、「な」、「は」、「ま」、「や」、「ら」、「わをん」と、［０］から［９］の数字をそれぞれ表示する１０個の数字表示領域として図中左上から右下方向に「７」、「８」、「９」、「４」、「５」、「６」、「１」、「２」、「３」、「０」と、［Ａ］から［Ｚ］の２６個のアルファベットをそれぞれ表示するアルファベット表示領域として図中左上から右下方向に「．＠：」、「ＡＢＣ」、「ＤＥＦ」、「ＧＨＩ」、「ＪＫＬ」、「ＭＮＯ」、「ＰＱＲＳ」、「ＹＵＶ」、「ＷＸＹＺ」と、を有するテンキーボタン４ａ〜４ｊと、テンキーボタン４ａ〜４ｊの近傍に配置され、行表示領域を活性化させ仮名５０音文字を入力させると共に、数字表示領域及びアルファベット表示領域を不活性化するひらがな選択ボタン７を表示させる第１のボタン表示手段と、を備える。
【００１６】
ただし、本発明は行表示領域、数字表示領域、アルファベット表示領域を図示したレイアウトに限定するものではなく、例えば、行表示領域の順番を図中右下から左上方向へ「あ」〜「わをん」へ変更してもよい。同様に数字表示領域、アルファベット表示領域の順番を任意に変更することもできる。
【００１７】
また、テンキーボタン４ｈの下方に記号ボタン５を配置し、テンキーボタン４ｉの下方にスペースボタン６を配置し、何れのテンキーボタンが選択される際に連動して記号又はスペースを入力することができる。
【００１８】
さらに、操作盤１には、図中右上角部分にキーボードアイコン２が表示され、オペレータがキーボードアイコン２をタッチ操作することにより入力文字キーボード３を操作盤１に重畳させて高い優先順位で表示させることができる。
【００１９】
入力文字キーボード３には、テンキーボタン４ａ、４ｄ、４ｇ、４ｊ列の左側近傍に全角ボタン、半角ボタン、ひらがな選択ボタン７、カナ選択ボタン８、アルファベット選択ボタン９、数字選択ボタン１０、前頁ボタン、次頁ボタンがそれぞれ表示されている。
【００２０】
また、入力文字キーボード３には、テンキーボタン４ｃ、４ｆ、４ｉ、スペースボタン６列の右側近傍に後退ボタン（Back Space）、削除ボタン（Delete）、元に戻すボタン、カーソルキー、変換範囲を指定する候補選択キー、変換ボタン、確定ボタンがそれぞれ表示されている。なお、入力文字キーボード３は、入力文字キーボード３を画面から消滅させる閉じるボタン１１も表示されている。
【００２１】
操作盤１には、現在の時刻、日時、情報のタイトル、営業日、レジ番号、取引番号、責任者、終了ボタン、入力ボタン、変更ボタン、削除ボタン、レシートボタン、プレビューボタン、印刷ボタン、戻るボタン、確定ボタンの他に、メニュー（Menu）タブ、点検タブ、マスタ業務タブが任意の位置に表示されている。
【００２２】
図示した操作盤１の顧客マスタ画面には、顧客コード表が昇順にソートされて表示され、顧客コード表の下方に変更用の入力ボックスが顧客コード、顧客名称、有効無効区分の順に表示されている。例えば、客層コードが「１１」、男性１０歳以下、有効をハイトライト表示させて選択している場合には、変更用の入力ボックスに対応する数値「１１」、文字列「男性１０歳以下」、有効ボタンの押下態様がビットマップイメージで表示されている。
【００２３】
操作盤１には、電子キャッシュレジスタのような情報処理装置の電源が通電した段階で、ハードディスク又は読み出し専用メモリからコンピュータ・ソフトウエア・プログラムがメインメモリへブートされ、自己診断プログラムを実行した後に、商品販売データ管理プログラムが起動する。図示した情報処理装置は、オペレータがキーボードアイコン３を選択操作した状態を表示している。
【００２４】
本発明は、商品販売データ処理装置としての電子キャッシュレジスタが起動した後の操作盤１の客層コード「１１」行及びひらがな選択ボタン７をハイトライト状態でビットマップ状態で表示すると共に、行表示領域を活性化させて「あ」〜「わ」行の各先頭文字を鮮明文字でテンキーボタン４ａ〜４ｊ上へ表示し数字表示領域及びアルファベット表示領域を不活化させてグレーアウト文字により表示することができる。
【００２５】
ただし本発明は、ひらがな選択ボタン７をハイトライト状態に表示するデフォルト画面に限定するものではなく、例えば、客層コード「１１」行、ひらがな選択ボタン７、カナ選択ボタン８、アルファベット選択ボタン９、数字選択ボタン１０のすべてをハイトライト状態でビットマップ表示してもよい。
【００２６】
要は情報処理装置がオペレータに対してどの情報入力状態若しくは選択操作を要求しているのかビジュアルに確認させる手段を用いて入力モードを確認させることができる。したがって、本発明はハイトライト状態に代えて点滅表示や入力モード個別の鳴音機能をも対象とすることができる。
【００２７】
図２は、第１の実施の形態にかかる情報処理装置に用いる操作盤の正面図である。図１に例示した構成要素と同一の部材については重複する説明を省略する。
【００２８】
各テンキーボタン４ａ〜４ｊは、ひらがな選択ボタン７の操作により１０個の行表示領域に［あ］行〜［わ］行の１０行の先頭文字をそれぞれ表示する。図示した各先頭文字は、情報処理装置が起動したデフォルト時のフォントサイズに比して大きなフォントサイズで表示することができる。
【００２９】
この場合、情報処理装置は、ひらがな選択ボタン７のハイトライト状態を維持しながら、不活性化されている数字表示領域及びアルファベット表示領域に重畳して行表示領域をハイトライト状態で表示する。つまり、行表示領域が活性化され「あ」〜「わ」行の先頭文字を拡大表示しオペレータに対してひらがな入力モードを認識し易くすることができる。
【００３０】
図３は、第１の実施の形態にかかる情報処理装置に用いる操作盤の正面図である。図１に例示した構成要素と同一の部材については重複する説明を省略する。
【００３１】
入力文字キーボード３には、テンキーボタン４ａ〜４ｃの上方に文字入力枠１５が表示されている。この文字入力枠１５は「男性１０歳以下」の文字列を表示している。文字列の入力操作を例示すると、ひらがな選択ボタン７を操作し、行表示領域を活性化させている状態で、テンキーボタン４ｄ「た」を一回打鍵、記号ボタン５を五回打鍵、テンキーボタン４ｊ「わ」を三回打鍵、テンキーボタン４ｃ「さ」を四回打鍵、テンキーボタン４ａ「あ」を二回打鍵、テンキーボタン４ｃ「さ」を二回打鍵、記号ボタン５を五回打鍵、テンキーボタン４ｈ「や」を五回打鍵、テンキーボタン４ａ「あ」を三回打鍵、テンキーボタン４ｃ「さ」を一回打鍵、テンキーボタン４ａ「あ」を二回打鍵、右方向ボタンを１回打鍵、テンキーボタン４ａ「あ」を二回打鍵、テンキーボタン４ｂ「か」を一回打鍵した後に、変換ボタンを複数回に亘り操作することにより希望する漢字変換候補が文字入力枠１５へ表示され、確定ボタンの操作により適宜「男性１０歳以下」の文字列を確定させることができる。
【００３２】
図４は、第１の実施の形態にかかる情報処理装置に用いる操作盤の正面図である。図１に例示した構成要素と同一の部材については重複する説明を省略する。
【００３３】
テンキーボタン４ａは、右上方に行表示領域２０と、左上方に数字表示領域２１と、下段にアルファベット表示領域２２を備える。他のテンキーボタン４ｂ〜４ｊにも同様のレイアウトで右上方に行表示領域と、左上方に数字表示領域と、下段にアルファベット表示領域を備えている。
【００３４】
また、入力文字キーボード３は、左端部に全角ボタン３２、半角ボタン３３、ひらがな選択ボタン７、カナ選択ボタン８、アルファベット選択ボタン９、数字選択ボタン１０、前頁ボタン３０、次頁ボタン３１がそれぞれ表示されている。
【００３５】
さらに、入力文字キーボード３には、下段に記号ボタン５、スペースボタン６を表示し、右側に後退ボタン２７、削除ボタン２８、元に戻すボタン２９、カーソルキー２３、変換範囲を指定する候補選択キー２４、変換ボタン２５、確定ボタン２６を表示している。
【００３６】
「あ」行を入力するテンキーボタン上に表示されている行表示領域２０は、ひらがな選択ボタン７の操作により活性化され、図右側に示すテンキー表示態様３４のように「あ」文字をハイトライト状態で表示する。一方、数字表示領域２１及びアルファベット表示領域２２は不活性化されグレーアウト文字「７」及び「．＠／：」のまま表示されている。
【００３７】
同様に、行表示領域２０は、カナ選択ボタン８の操作により活性化され、テンキー表示態様３５のように「ア」文字をハイトライト状態で表示する。一方、数字表示領域２１及びアルファベット表示領域２２は不活性化されている。
【００３８】
同様に、アルファベット表示領域２２は、アルファベット選択ボタン９の操作により活性化され、図右側に示すテンキー表示態様３６のように「．＠／：」文字をハイトライト状態で表示する。一方、行表示領域２０及び数字表示領域２１は不活性化されている。
【００３９】
同様に、数字表示領域２１は、数字選択ボタン１０の操作により活性化され、図右側に示すテンキー表示態様３７のように「７」数字をハイトライト状態で表示する。一方、行表示領域２０及びアルファベット表示領域２２は不活性化されている。
【００４０】
図１及び図５を参照して、第１の実施の形態にかかる情報処理装置の動作を説明する。情報処理装置は、通電した後に文字入力のコンピュータ・ソフトウエア・プログラムが起動しハードディスク又は読み出し専用メモリからソフトウエアモジュールがメインメモリにロードされ、中央演算装置ＣＰＵがソフトウエアモジュールを実行することでインターフェースに接続された周辺機器を駆動させ、開始ステップ４０（以下、ステップを「Ｓ」と略記する。）が進行する。
【００４１】
入力文字キーボード３は、キー押下Ｓ４１でオペレータによるキー操作（例えば、操作盤１への接近探知や接触探知や接触から非接触への移行）を検知し、情報処理装置に操作状態を伝達し、ＣＰＵが入力種類判定Ｓ４２により操作されたボタンを判定する。
【００４２】
情報処理装置は、メインメモリに記憶したモジュールを読み出しＣＰＵで命令を実行しひらがな選択ボタン７の操作を検知した場合は、ひらがなビットマップ表示Ｓ４３に移行しインターフェースを駆動して操作盤１の入力文字キーボード３をひらがな表示画面に切換えてから、次のモジュールの命令を実行しながら、ひらがなモード切替Ｓ４４へ移行しテンキーボタン４ａ〜４ｊの打鍵数に対応する「ひらがな文字」をバスを経由して受信し文字列をメインメモリへ記憶し1サイクルの処理を終了する（終了Ｓ４０）。
【００４３】
同様に、情報処理装置は、カナ選択ボタン８の操作を検知した場合は、カナビットマップ表示Ｓ４６に移行し操作盤１の入力文字キーボード３をカタカナ画面に切換えてから、カタカナモード切替Ｓ４７へ移行しテンキーボタン４ａ〜４ｊの打鍵数に対応するカタカナ文字を受信し文字列を記憶し1サイクルの処理を終了する（終了Ｓ４０）。
【００４４】
同様に、情報処理装置は、アルファベット選択ボタン９の操作を検知した場合は、英字ビットマップ表示Ｓ４８に移行し操作盤１の入力文字キーボード３を英字画面に切換えてから、英字モード切替Ｓ４９へ移行しテンキーボタン４ａ〜４ｊの打鍵数に対応する英文字を受信し文字列を記憶し1サイクルの処理を終了する（終了Ｓ４０）。
【００４５】
同様に、情報処理装置は、数字選択ボタン１０の操作を検知した場合は、数字ビットマップ表示Ｓ５０に移行し操作盤１の入力文字キーボード３を数字画面に切換えてから、数字モード切替Ｓ５１へ移行しテンキーボタン４ａ〜４ｊの打鍵数に対応する数字を受信し数字の文字列を記憶し1サイクルの処理を終了する（終了Ｓ４０）。
【００４６】
このように、第１の実施の形態では、入力文字キーボード３の画面をＣＰＵが適宜インターフェースを介して切換えることにより、オペレータに対して情報入力モードをビジュアルに表現することができ、オペレータの作業時間を短縮させ、作業誤りを軽減させることができる。
【００４７】
図４及び図６を参照して、第１の実施の形態にかかる情報処理装置の動作を説明する。情報処理装置は、ＣＰＵがメインメモリから顧客管理情報を読み出しインターフェースを駆動して操作盤１に表示する客層コード「１１」のラインをハイトライト表示すると共に、変更欄５１にハイトライトした客層コード「１１」の情報を入力ボックスに表示し、オペレータに対して客層コードの変更許可を与える。
【００４８】
情報処理装置は、ＣＰＵにより操作盤１の右上角に設けられたキーボードアイコン２の選択操作をタッチセンサを通して検知し、入力文字キーボード３を操作盤１にポップアップ表示させる。選択ボタン配置領域５２では、例えば、メインメモリから読み出したデフォルトデータをＣＰＵが判定し、ひらがな選択ボタン７及び全角ボタン３２を初期状態で選択しハイトライト状態で表示する。
【００４９】
この場合、入力文字キーボード３は、操作盤１の面積に対して２分の１以下の面積で画面表示すると、入力文字キーボード３が重畳して操作盤１が見えない領域が少なくオペレータの操作性を向上させることができる。
【００５０】
また、入力文字キーボード３は、ポップアップした段階で変更欄５１の近傍に位置するようにＣＰＵが表示シーケンスを制御することで情報入力作業が促進する。さらに、文字入力枠１５（図３参照）を配置し文字入力作業を効率的に実施させることもできる。
【００５１】
引き続き、ＣＰＵの命令実行により入力文字キーボード３から打鍵されたテンキーボタンに対応する文字列が変更欄５１に入力され編集することができる。例えば、ひらがなで入力された文字列を変換ボタンの操作により変換候補を複数表示させてから、カーソルキー２３の中から上方向ボタン５３又は下方向ボタン５４を操作して変換候補を選択し、確定ボタン２６の操作により文字列の漢字変換を終了させることができる。
【００５２】
また、情報処理装置は、入力切替領域５５に配置したひらがな選択ボタン７、カナ選択ボタン８、アルファベット選択ボタン９、及び数字選択ボタン１０の中から任意の選択ボタンの操作に応答するＣＰＵにより、テンキーボタン４ａ〜４ｊの表示態様を切換える。ＣＰＵは、同一の情報入力モードであっても全角ボタン３２と半角ボタン３３の切換え操作により、入力する文字列の文字コードを全角又は半角で入力させることができ、変更欄５１へ表示させることができる。
【００５３】
さらに、情報処理装置は、長い文字列をひらがな入力モードで入力した場合、ＣＰＵが文節の切替領域５６に設けた候補選択キー２４の操作に応答して、ひらがな文字列の中から漢字部分を特定することができる。
【００５４】
引き続き、オペレータは、ひらがなと漢字に区分けされた文字列を変更欄５１の表示で確認してから、入力終了領域５７に設けた確定ボタン２６を操作し、ＣＰＵに対して変換した漢字を確定させることができる。
【００５５】
なお、顧客コードの段を変更してフォーカスする位置を移動させる場合は、頁変更領域５８に設けた前頁ボタン３０又は次頁ボタン３１を操作し、ＣＰＵにハイトライト領域を移動させることもできる。
【００５６】
図７は、第１の実施の形態にかかる情報処理装置としての電子キャッシュレジスタの斜視図である。図１に例示した構成要素と同一の部材については重複する説明を省略する。
【００５７】
電子キャッシュレジスタ６０は、ＣＰＵがメインメモリから読み出した顧客データ及び顧客データ管理ソフトウエアプログラム、文字入力プログラムに基づいて制御される顧客マスタ画面を表示する操作盤１の右上角に設けたキーボードアイコン２、操作盤１に重畳表示される入力文字キーボード３、操作盤１の後方に設けたオペレータ用表示器６２、オペレータ用表示器６２の後方に設けた客用表示器６３、操作盤１の左方向に設けたプリンタ６４、プリンタ６４の前方に設けたレシート発行口６５、電子キャッシュレジスタ６０にワイヤ接続するハンドスキャナ６６、現金を収納するドロワ６７、及び入力文字キーボード３から情報入力された電子情報を蓄積するリムーバブルディスク６８を備える。
【００５８】
図示した電子キャッシュレジスタ６０は、キーボードアイコン２のタッチ操作によりＣＰＵがメインメモリからビットマップ情報を読み出し入力文字キーボード３を操作盤１にポップアップ表示し、ＣＰＵがオペレータから入力される情報入力を入力文字キーボード３を通して受けつけ、内部メモリ（不図示）若しくは着脱可能なリムーバブルディスク（例えば、ＳＤカード、コンパクトフラッシュメモリ）に記憶することができる。
【００５９】
図８は、第１の実施の形態にかかる情報処理装置としての電子キャッシュレジスタのブロック図である。図１に例示した構成要素と同一の部材については重複する説明を省略する。
【００６０】
電子キャッシュレジスタ６０は、例えば、ＣＰＵ、キャッシュメモリ、レジスタ、マイクロコードを記憶した読み出し専用メモリを備えたマイクロプロセッサを設け、操作盤１、操作盤１に接続する入力部８０、入力部８０に接続されプリント配線基板に載置されたキー入力制御部８１、キー入力制御部８１に接続される記憶部７０（ランダムアクセスメモリ又はスタティックランダムアクセスメモリ）、キー入力制御部８１に接続され入力又は変換された文字情報をバス及びインターフェースを通して操作盤１とオペレータ用表示器６２と客用表示器６３へ出力する出力部６９を備える。
【００６１】
また、第１の実施の形態の目的を達成するために、キー入力制御部８１には、操作盤１から入力される文字情報を処理するコントローラを用いた入力文字組合せ処理部８２、コンパレータ及びコントローラによる文字の組合せを選択する組合せ選択部８３を備える。
【００６２】
さらに、第１の実施の形態の目的を達成するために、読み出し専用メモリによる記憶部７０には、ひらがなキーフォント７１、カナキーフォント７２、アルファベットキーフォント７３、数字キーフォント７４のデータや、漢字変換辞書７５のプログラムが格納されている。
【００６３】
操作盤１は、ＣＰＵの命令実行により操作盤１にポップアップ表示された入力文字キーボード３（図１参照）を通して入力された文字情報をバスを通して入力部へ送信する。キー入力制御部８１は、バスを通して送信された文字情報を入力文字組合せ処理部８２で処理し、同一テンキーボタンの打鍵回数と他のテンキーボタン打鍵をカウンタで判定し文字列の組合せを処理する。
【００６４】
組合せ選択部８３は、入力文字組合せ処理部８２から文字列情報をバスを通して受信し、文字列の組合せに対応するひらがな文字、カタカナ文字、アルファベット文字、数字をそれぞれマルチプレクサを通して選択し文字列を選択する。
【００６５】
また、キー入力制御部８１は、ＣＰＵの実行結果により記憶部７０から情報入力モードに対応するビットマップ表示のフォントをひらがなキーフォント７１、カナキーフォント７２、アルファベットキーフォント７４、数字キーフォント７４の中から適宜データを選択し、バスから出力部６９を経由して操作盤１へデータを出力する。出力したビットマップ表示は、図４に示したように、ＣＰＵがひらがな入力モード、カタカナ入力モード、アルファベット入力モード、数字入力モード別に各々異なるフォントから生成するテンキーボタン４ａ〜４ｊを表示させている。
【００６６】
さらに、出力部６９は、ＣＰＵの実行結果に基づき、オペレータ用表示器６２や客用表示器６３に対して、数字、漢字、カタカナ文字、アルファベット文字を適宜表示させ、漢字変換辞書により変換した漢字文字も表示させることができる。
【００６７】
図９〜図１２は、本発明の実施の形態にかかる情報処理装置に用いる操作盤を拡大した図である。
【００６８】
図９に示すように、操作盤１に表示する客層コード「１１」のラインをハイトライト表示すると共に、変更欄５１にハイトライトした客層コード「１１」の情報を入力ボックスに表示し、オペレータに対して客層コードの変更許可を与える。
【００６９】
情報処理装置は、操作盤１の右上角に設けられたキーボードアイコン２の選択操作を検知し、入力文字キーボード３を操作盤１にポップアップ表示させる。選択ボタン配置領域５２では、例えば、ひらがな選択ボタン７及び全角ボタン３２が初期状態で選択されハイトライト状態で表示されている。
【００７０】
引き続き、入力文字キーボード３から打鍵されたテンキーボタンに対応する文字列が変更欄５１に入力され編集することができる。
【００７１】
図１０に示すように、情報処理装置は、入力切替領域５５に配置したひらがな選択ボタン７、カナ選択ボタン８、アルファベット選択ボタン９、及び数字選択ボタン１０の中から任意の選択ボタンの操作に応答し、テンキーボタン４ａ〜４ｊ（図４参照）の表示態様を切換える。同一の情報入力モードであっても全角ボタン３２（図４参照）と半角ボタン３３（図４参照）の切換え操作により、入力する文字列の文字コードを全角又は半角で入力することができ、客層名称の入力ボックスへ表示させることができる。
【００７２】
図上段に示す候補メニューバ５９には、テンキーボタン４ａ〜４ｊから入力された「だんせい」の文字列に対して「１．男性」、「２．男声」、「３．だんせい」、「４．ダンセイ」の四種類の変換候補を表示している。オペレータは、上方向ボタン５３又は下方向ボタン５４を押下して変換候補を選択し、確定ボタン２６（図４参照）の操作により文字列の漢字変換を終了させることができる。
【００７３】
ここで、情報処理装置の文字入力モードを切換える場合、オペレータは入力切替領域５５に配置したひらがな選択ボタン７、カナ選択ボタン８、アルファベット選択ボタン９、及び数字選択ボタン１０の中から任意の選択ボタンを操作し、ＣＰＵの実行結果に基づきテンキーボタン４ａ〜４ｊの表示態様を切換えることができる。ただしひらがな選択ボタン７の操作後は全角ボタン３２がハイトライト表示され、半角ボタン３３が不活性化されグレーアウト文字に変化する。
【００７４】
また、カナ選択ボタン８の切換え操作により、ＣＰＵはデフォルトが半角入力に初期設定し、半角ボタン３３は不活性化されグレーアウト文字に変化する。さらに、アルファベット選択ボタン９又は数字選択ボタン１０の切換え操作により、ＣＰＵはデフォルトが半角に初期設定し、半角ボタン３３は不活性化されグレーアウト文字に変化する。
【００７５】
図１１に示すように、情報処理装置は、長い文字列をひらがな入力モードで入力した場合、文節の切替領域５６に設けた候補選択キー２４（図４参照）の操作に応答して、ひらがな文字列の中から漢字部分を特定することができる。
【００７６】
また、オペレータは、ひらがなと漢字に区分けされた文字列を変更欄５１の表示で確認してから、入力終了領域５７に設けた確定ボタン２６（図４参照）を操作して変換した漢字を確定することができる。
【００７７】
図１２に示すように、顧客コードの段を変更してフォーカスする位置を移動させる場合は、頁変更領域５８に設けた前頁ボタン３０又は次頁ボタン３１を操作し、ＣＰＵの実行結果に基づきハイトライト領域を移動させることもできる。
【００７８】
図１３〜図１６は、第１の実施の形態にかかる情報処理装置の入力文字キーボードの拡大図である。共通する部材に付いては重複する説明を省略する。
【００７９】
図１３に示すように、入力文字キーボード３は、ひらがな入力モードが設定されている複数のテンキーボタン４、ハイトライト状態のひらがな選択ボタン７、入力文字キーボード３を画面から消滅させる閉じるボタン１１、ハイトライト状態の全角ボタン３２、変換ボタン２５、確定ボタン２６、後退ボタン２７、削除ボタン２８、元に戻すボタン２９、前頁ボタン３０、次頁ボタン３１記号ボタン５、スペースボタン６の他に、カーソルキー、候補選択キーを備える。
【００８０】
テンキーボタン４は、活性化された行表示領域に「あ」行〜「わ」行の先頭文字を強調してハイトライト状態で表示しているので、オペレータにひらがな入力モードを容易に確認させることができる。
【００８１】
図１４に示すように、入力文字キーボード３は、カタカナ入力モードが設定されている活性化された行表示領域に「ア」行〜「ワ」行の先頭文字を強調してハイトライト状態で表示しているので、オペレータにカタカナ入力モードを容易に確認させることができる。
【００８２】
図１５に示すように、入力文字キーボード３は、アルファベット入力モード（英語入力）が設定されている活性化されたアルファベット表示領域に「．＠／：」、「ＡＢＣ」〜「ＷＸＹＺ」の文字を強調してハイトライト状態で表示しているので、オペレータにアルファベット入力モードを容易に確認させることができる。
【００８３】
図１６に示すように、入力文字キーボード３は、数字入力モードが設定されている活性化された数字表示領域に「０」〜「９」の数字を強調してハイトライト状態で表示しているので、オペレータに数字入力モードを容易に確認させることができる。
【００８４】
（第２の実施の形態）
図１７は、本発明の第２の実施の形態にかかる情報処理装置に用いる操作盤の正面図である。図１に示した操作盤と共通する部材に付いては重複する説明を省略する。
【００８５】
入力文字キーボード３には、「ひらがな」の表示のトグル選択ボタン１６が設けられている点で第１の実施の形態と相違する。トグル選択ボタン１６は、打鍵回数に応答して「ひらがな選択ボタン」、「カナ選択ボタン」、「アルファベット選択ボタン」、「数字選択ボタン」に順次移行し、「数字選択ボタン」の状態でトグル選択ボタン１６を打鍵すると「ひらがな選択ボタン」へ戻るシーケンスを繰り返す。
【００８６】
図１８に示すように、入力文字キーボード３は、トグル選択ボタン１６の打鍵回数に応答して「ひらがな選択ボタン」へ移行し、全角ボタン３２、テンキーボタン４の行表示領域を活性化させハイトライト状態で「あ」行〜「わ」行の先頭文字を表示する。他のアルファベット表示領域及び数字表示領域は不活性化されグレーアウト文字が表示されている。
【００８７】
図１９に示すように、入力文字キーボード３は、トグル選択ボタン１６の打鍵回数に応答して「カナ選択ボタン」へ移行し、全角ボタン３２、テンキーボタン４の行表示領域を活性化させハイトライト状態で「ア」行〜「ワ」行の先頭文字を表示する。他のアルファベット表示領域及び数字表示領域は不活性化されグレーアウト文字が表示されている。
【００８８】
図２０に示すように、入力文字キーボード３は、トグル選択ボタン１６の打鍵回数に応答して「アルファベット選択ボタン」へ移行し、全角ボタン３２、テンキーボタン４のアルファベット表示領域を活性化させハイトライト状態で「．＠／：」、「ＡＢＣ」〜「ＷＸＹＺ」の英語文字を表示する。他の行表示領域及び数字表示領域は不活性化されグレーアウト文字が表示されている。
【００８９】
図２１に示すように、入力文字キーボード３は、トグル選択ボタン１６の打鍵回数に応答して「数字選択ボタン」へ移行し、全角ボタン３２、テンキーボタン４の数字表示領域を活性化させハイトライト状態で「０」〜「９」の文字を表示する。他の行表示領域及びアルファベット表示領域は不活性化されグレーアウト文字が表示されている。
【００９０】
（第３の実施の形態）
図２２〜図２７は、本発明の第３の実施の形態にかかる入力文字キーボードの正面図である。図２に示した操作盤と共通する部材に付いては重複する説明を省略する。
【００９１】
図２２に示すように、入力文字キーボード３は、ひらがな選択ボタン７の操作に応答して、全角ボタン３２を活性化させ、テンキーボタン４の行表示領域を活性化させハイトライト状態で「あ」行〜「わ」行の先頭文字を他の数字表示領域及びアルファベット表示領域に重畳させて表示するので、先頭文字をテンキーボタン全面に表示することができる。
【００９２】
図２３に示すように、入力文字キーボード３は、カナ選択ボタン８の操作に応答して、全角ボタン３２を活性化させ、テンキーボタン４の行表示領域を活性化させハイトライト状態で「ア」行〜「ワ」行の先頭文字を他の数字表示領域及びアルファベット表示領域に重畳させて表示するので、先頭文字をテンキーボタン全面に表示することができる。
【００９３】
図２４に示すように、入力文字キーボード３は、アルファベット選択ボタン９の操作に応答して、半角ボタン３３を活性化させ、テンキーボタン４のアルファベット表示領域を活性化させハイトライト状態で「．＠／：」、「ＡＢＣ」〜「ＷＸＹＺ」の英語文字を他の行表示領域及び数字表示領域に重畳させて表示するので、英語文字をテンキーボタン全面に表示することができる。
【００９４】
図２５に示すように、入力文字キーボード３は、数字選択ボタン１０の操作に応答して、半角ボタン３３を活性化させ、テンキーボタン４の数字表示領域を活性化させハイトライト状態で「０」〜「９」の数字を他の行表示領域及びアルファベット表示領域に重畳させて表示するので、数字をテンキーボタン全面に表示することができる。
【００９５】
図２６は、第３の実施の形態にかかる情報処理装置としての電子キャッシュレジスタの斜視図である。図７に例示した構成要素と同一の部材については重複する説明を省略する。
【００９６】
電子キャッシュレジスタ６０は、ＣＰＵがメインメモリから読み出した顧客データ及び顧客データ管理ソフトウエアプログラム、文字入力プログラムに基づいて制御される顧客マスタ画面を表示する操作盤１の右上角に設けたキーボードアイコン２、操作盤１に重畳表示される入力文字キーボード３、操作盤１の後方に設けた客用表示器６３、操作盤１の左方向に別体として設けたプリンタ６４、プリンタ６４の前方に設けたレシート発行口６５、電子キャッシュレジスタ６０にワイヤ接続するハンドスキャナ６６、現金を収納するドロワ６７、及び入力文字キーボード３から情報入力された電子情報を蓄積するリムーバブルディスク６８を備える。
【００９７】
図示した電子キャッシュレジスタ６０は、キーボードアイコン２のタッチ操作によりＣＰＵがメインメモリからビットマップ情報を読み出し入力文字キーボード３を操作盤１にポップアップ表示し、ＣＰＵがオペレータから入力される情報入力を入力文字キーボード３経由で受けつけ、内部メモリ（不図示）若しくは着脱可能なリムーバブルディスク６８（例えば、ＳＤカード、コンパクトフラッシュ(登録商標）メモリ）に記憶することができる。
【００９８】
図２７は、第３の実施の形態にかかる情報処理装置としてデザイン修正をした電子キャッシュレジスタの斜視図である。図２６に例示した構成要素と同一の部材については重複する説明を省略する。
【００９９】
電子キャッシュレジスタ６０は、ＣＰＵがメインメモリから読み出した顧客データ及び顧客データ管理ソフトウエアプログラム、文字入力プログラムに基づいて制御される顧客マスタ画面を表示する操作盤１の右上角に設けたキーボードアイコン２、コンピュータ・ソフト・ウエア・プログラムによる入力文字キーボード表示手段によって、操作盤１に重畳表示される入力文字キーボード３、操作盤１に手対して直立する角度に立設されたオペレータ用表示器６２、オペレータ用表示器６２の後方に設けた客用表示器６３、操作盤１の左方向にビルトインされたプリンタ６４、プリンタ６４の前方に設けたレシート発行口６５、電子キャッシュレジスタ６０にワイヤ接続されプリンタ６４へ載置するハンドスキャナ６６、現金を収納するドロワ６７、及び入力文字キーボード３から情報入力された電子情報を蓄積するリムーバブルディスク６８を備える。
【０１００】
図示した電子キャッシュレジスタ６０は、キーボードアイコン２のタッチ操作によりＣＰＵがメインメモリからビットマップ情報を読み出し入力文字キーボード３を操作盤１にポップアップ表示し、ＣＰＵがオペレータから入力される情報入力を入力文字キーボード３経由で受けつけ、内部メモリ（不図示）若しくは着脱可能なリムーバブルディスク６８（例えば、ＳＤカード、コンパクトフラッシュ(登録商標）メモリ）に記憶することができる。
【０１０１】
このように、第３の実施の形態では、活性化されている選択ボタン及びテンキーボタン内の表示領域をハイトライト状態で表示するので、オペレータに情報入力モードを容易に確認させることができる。
【０１０２】
なお、本発明の実施の形態に記載された、作用及び効果は、本発明から生じる最も好適な作用及び効果を列挙したに過ぎず、本発明による作用及び効果は、本発明の実施の形態に記載されたものに限定されるものではない。
【図面の簡単な説明】
【０１０３】
【図１】第１の実施の形態に用いる操作盤の正面図。
【図２】第１の実施の形態に用いる操作盤の正面図。
【図３】第１の実施の形態に用いる操作盤の正面図。
【図４】第１の実施の形態に用いる入力文字キーボードの正面図。
【図５】第１の実施の形態にかかる情報処理装置のフローチャート。
【図６】第１の実施の形態にかかる情報処理装置の動作フローを示す図。
【図７】第１の実施の形態にかかる電子キャッシュレジスタの斜視図。
【図８】第１の実施の形態にかかる電子キャッシュレジスタのブロック図。
【図９】第１の実施の形態に用いる操作盤の正面図。
【図１０】第１の実施の形態に用いる操作盤の正面図。
【図１１】第１の実施の形態に用いる操作盤の正面図。
【図１２】第１の実施の形態に用いる操作盤の正面図。
【図１３】第１の実施の形態に用いる入力文字キーボードの正面図。
【図１４】第１の実施の形態に用いる入力文字キーボードの正面図。
【図１５】第１の実施の形態に用いる入力文字キーボードの正面図。
【図１６】第１の実施の形態に用いる入力文字キーボードの正面図。
【図１７】第２の実施の形態に用いる入力文字キーボードの正面図。
【図１８】第２の実施の形態に用いる入力文字キーボードの正面図。
【図１９】第２の実施の形態に用いる入力文字キーボードの正面図。
【図２０】第２の実施の形態に用いる入力文字キーボードの正面図。
【図２１】第２の実施の形態に用いる入力文字キーボードの正面図。
【図２２】第３の実施の形態に用いる入力文字キーボードの正面図。
【図２３】第３の実施の形態に用いる入力文字キーボードの正面図。
【図２４】第３の実施の形態に用いる入力文字キーボードの正面図。
【図２５】第３の実施の形態に用いる入力文字キーボードの正面図。
【図２６】第３の実施の形態にかかる情報処理装置の斜視図。
【図２７】第３の実施の形態にかかる情報処理装置の斜視図。
【符号の説明】
【０１０４】
１・・・操作盤、２・・・キーボードアイコン、３・・・入力文字キーボード、４・・・テンキーボタン、７・・・ひらがな選択ボタン、８・・・カナ選択ボタン、９・・・アルファベット選択ボタン、１０・・・数字選択ボタン、１１・・・閉じるボタン、１５・・・文字入力枠、１６・・・トグル選択ボタン、２０・・・行表示領域、２１・・・数字表示領域、２２・・・アルファベット表示領域、３２・・・全角ボタン、３３・・・半角ボタン５９変換候補メニューバ、６０・・・電子キャッシュレジスタ
【図１】
2006129268.tif 000003
【図２】
2006129268.tif 000004
【図３】
2006129268.tif 000005
【図４】
2006129268.tif 000006
【図５】
2006129268.tif 000007
【図６】
2006129268.tif 000008
【図７】
2006129268.tif 000009
【図８】
2006129268.tif 000010
【図９】
2006129268.tif 000011
【図１０】
2006129268.tif 000012
【図１１】
2006129268.tif 000013
【図１２】
2006129268.tif 000014
【図１３】
2006129268.tif 000015
【図１４】
2006129268.tif 000016
【図１５】
2006129268.tif 000017
【図１６】
2006129268.tif 000018
【図１７】
2006129268.tif 000019
【図１８】
2006129268.tif 000020
【図１９】
2006129268.tif 000021
【図２０】
2006129268.tif 000022
【図２１】
2006129268.tif 000023
【図２２】
2006129268.tif 000024
【図２３】
2006129268.tif 000025
【図２４】
2006129268.tif 000026
【図２５】
2006129268.tif 000027
【図２６】
2006129268.tif 000028
【図２７】
2006129268.tif 000029